(57)【要約】【課題】光学ズームレンズの変倍動作により発生する騒音を録音することなく音声が良好であり、かつ、光学ズームレンズの画角を有効に使用し、自由な画角での動画撮影を可能とする。【解決手段】音声優先モードでは、静音設計されていない動画非対応の光学ズームレンズを使用するような場合、動画撮影前に光学ズームレンズのズーム位置をワイド端に操作させるよう通知し、動画撮影中にはそのズーム操作を行わないようにさせることができる。これにより、ズーム駆動音が音声に録音されることのない、音声の良好な映像が得ることができる。また、動画撮影中は、光学ズームレンズのズーム位置がワイド端にあるので、光学ズームレンズの画角をワイド端から有効に使用することができ、電子ズームを使用することで自由な画角での撮影映像を得ることができる。【選択図】図４
2011120172.tif 000002
【特許請求の範囲】
【請求項１】
光学像を映像信号に変換する撮像手段と、
音声信号を取得する音声信号取得手段と、
前記撮像手段に結像される光学像に対して光学ズームを行う光学ズーム手段と、
前記光学ズーム手段のズーム位置を検知するズーム位置検知手段と、
前記撮像手段により変換された映像信号及び前記音声信号取得手段により取得された音声信号を音声付き動画像信号として記録媒体に記録する記録手段と、
前記ズーム位置検知手段により前記光学ズーム手段のズーム位置が所定の位置にあることを検知した後、前記撮像手段及び前記音声信号取得手段による音声付き動画撮影を許可する制御手段とを備えたことを特徴とする撮像装置。
【請求項２】
前記光学ズーム手段はズーム位置を手動操作する構成とされ、
前記制御手段は、前記光学ズーム手段のズーム位置を前記所定の位置に操作するよう通知することを特徴とする請求項１に記載の撮像装置。
【請求項３】
前記制御手段は、前記撮像手段及び前記音声信号取得手段による音声付き動画撮影を開始した後、前記ズーム位置検知手段により前記光学ズーム手段のズーム位置が前記所定の位置にないことを検知した場合、警告を行うことを特徴とする請求項２に記載の撮像装置。
【請求項４】
前記制御手段は、前記撮像手段及び前記音声信号取得手段による音声付き動画撮影を開始した後、前記ズーム位置検知手段により前記光学ズーム手段のズーム位置が前記所定の位置にないことを検知した場合、動画撮影を中止することを特徴とする請求項２に記載の撮像装置。
【請求項５】
前記光学ズーム手段は交換可能な光学ズームレンズであり、
前記光学ズームレンズが静音設計された動画対応のものであるか否かを検知する検知手段を備え、
前記制御手段は、前記検知手段により前記光学ズームレンズが静音設計された動画対応のものであることを検知した場合、前記光学ズームレンズのズーム位置にかかわらず、前記撮像手段及び前記音声信号取得手段による音声付き動画撮影を許可することを特徴とする請求項２に記載の撮像装置。
【請求項６】
前記光学ズーム手段を駆動する駆動手段を備え、
前記制御手段は、前記駆動手段により前記光学ズーム手段のズーム位置を前記所定の位置に駆動することを特徴とする請求項１に記載の撮像装置。
【請求項７】
前記所定の位置は広角端であることを特徴とする請求項１乃至６のいずれか１項に記載の撮像装置。
【請求項８】
光学像を映像信号に変換する撮像手段と、音声信号を取得する音声信号取得手段と、前記撮像手段に結像される光学像に対して光学ズームを行う光学ズーム手段と、前記光学ズーム手段のズーム位置を検知するズーム位置検知手段と、前記撮像手段により変換された映像信号及び前記音声信号取得手段により取得された音声信号を音声付き動画像信号として記録媒体に記録する記録手段とを備えた撮像装置の制御方法であって、
前記ズーム位置検知手段により前記光学ズーム手段のズーム位置が所定の位置にあることを検知した後、前記撮像手段及び前記音声信号取得手段による音声付き動画撮影を許可することを特徴とする撮像装置の制御方法。
【請求項９】
光学像を映像信号に変換する撮像手段と、音声信号を取得する音声信号取得手段と、前記撮像手段に結像される光学像に対して光学ズームを行う光学ズーム手段と、前記光学ズーム手段のズーム位置を検知するズーム位置検知手段と、前記撮像手段により変換された映像信号及び前記音声信号取得手段により取得された音声信号を音声付き動画像信号として記録媒体に記録する記録手段とを備えた撮像装置を制御するためのプログラムであって、
前記ズーム位置検知手段により前記光学ズーム手段のズーム位置が所定の位置にあることを検知した後、前記撮像手段及び前記音声信号取得手段による音声付き動画撮影を許可する処理をコンピュータに実行させるためのプログラム。
【発明の詳細な説明】
【技術分野】
【０００１】
本発明は、音声付き動画撮影可能な撮像装置、その制御方法及びプログラムに関する。
【背景技術】
【０００２】
近年、電子スチルカメラ（Electronic Still Camera；以下、電子カメラという。）が広く普及している。電子カメラは、撮影レンズによって結像された被写体像を受けて光電変換を行う電子的撮像手段を備え、この電子的撮像手段から出力される静止画像の画像信号や、この画像信号に対応する画像情報等を記録媒体に記録することができる。
【０００３】
従来の電子カメラは静止画像のみを撮影対象とするのが一般的であったが、近年においては、記録媒体としての半導体メモリ等の低価格化や、カメラ内部における信号処理速度の高速化等に伴って、簡易的な動画像の記録及び再生を行うことが比較的容易になってきている。
【０００４】
さらに、近年普及している電子カメラでは、静止画像及び動画像の記録及び再生機能だけでなく、これに加えて音声情報の記録及び再生機能を備えて構成されるものがある。この場合において、静止画像や動画像及び音声は、共に電気信号に変換された後、所定の形態のデータとして所定の記録媒体に対して記録するようになっているのが一般的である。
【０００５】
一般的に電子カメラにおいて、マイクを利用した撮影動作を行う場合としては、例えば動画像の記録の際に同時録音を行ったり、静止画像の記録中又は記録直後に、その静止画像に関する覚え書き的な音声記録（いわゆるボイスメモ）等を行ったりする等である。
【０００６】
この種の電子カメラにおいて、光学ズーム機構と、電子ズーム機構の両方を備えたものが一般化している。光学ズーム機構は、光学系の焦点距離の変更により撮像面に結像される光学像を拡大することにより、映像のズームを行う。電子ズーム機構は、映像の一部を電子的に拡大することにより、映像のズームを行う。この場合、映像のズームを光学ズームに加えて電子ズームにより行うことにより、光学ズームによる倍率を電子ズームによる倍率分高めることができる。しかしながら、電子ズームで映像を拡大する場合、映像の一部から映像全体の大きさに拡大した画像を生成するため、光学ズームのみで拡大した映像に比べて画質は劣化するという欠点がある。そこで、従来の電子カメラは、映像を拡大する場合には光学ズームを優先し、光学ズームの焦点がテレ端まできてから、電子ズームを行うのが一般的であった（例えば特許文献１を参照）。
【０００７】
ところで、動画像を撮影する場合には、音声も同時に記録するのが一般的である。しかしながら、このとき光学ズームを行うと、モータ等のアクチュエータの駆動や鏡筒内部でレンズが移動するときの摩擦による振動により発生する騒音が音声信号のノイズとして記録されてしまう。そこで、特許文献２では、光学ズームを行う前に電子ズームを行い、動画撮影時のズーム中に記録される音声にノイズが入るのを防止する電子カメラについて提案がなされている。
【先行技術文献】
【特許文献】
【０００８】
【特許文献１】特開平５−３００５０６号公報
【特許文献２】特開２００５−１７５９６０号公報
【発明の概要】
【発明が解決しようとする課題】
【０００９】
しかしながら、特許文献２でなされている提案では、撮影レンズが交換可能な一眼レフタイプの電子カメラ（デジタル一眼レフカメラ）の光学ズームレンズのように光学ズームの変倍動作を手動で行う構成については考慮されていない。そのため、音声付き動画像を撮影する際に、ノイズが発生する光学ズームの変倍動作を行うことができない。例えば光学ズームのズーム位置がワイド端ではない場合には、それ以上ワイドにすることができず、光学ズームレンズの画角を有効に使用することができないという問題がある。
【００１０】
また、光学ズームの変倍動作において静音化が図られている動画対応の光学ズームレンズが装着された場合でも、動画撮影時には光学ズームより電子ズームが優先して使用されてしまい、画質の劣った動画像を使用者に提供してしまうという問題がある。
【００１１】
さらに、近年においては、電子カメラに搭載される電子的撮像手段の画素数の増大により、静止画撮影では全画素を用いても、動画撮影には動画ファイルフォーマットの画素数の制約から画素を間引いて用いる場合が一般的であり、電子ズームを行って映像の一部を拡大しても画質の劣化の少ない動画像を得られることがほとんどである。
【００１２】
本発明は上記課題に鑑みてなされたものであり、光学ズームレンズの変倍動作により発生する騒音を録音することなく音声が良好であり、かつ、光学ズームレンズの画角を有効に使用し、自由な画角での動画撮影を可能とすることを目的とする。
【課題を解決するための手段】
【００１３】
本発明の撮像装置は、光学像を映像信号に変換する撮像手段と、音声信号を取得する音声信号取得手段と、前記撮像手段に結像される光学像に対して光学ズームを行う光学ズーム手段と、前記光学ズーム手段のズーム位置を検知するズーム位置検知手段と、前記撮像手段により変換された映像信号及び前記音声信号取得手段により取得された音声信号を音声付き動画像信号として記録媒体に記録する記録手段と、前記ズーム位置検知手段により前記光学ズーム手段のズーム位置が所定の位置にあることを検知した後、前記撮像手段及び前記音声信号取得手段による音声付き動画撮影を許可する制御手段とを備えたことを特徴とする。
【発明の効果】
【００１４】
本発明によれば、光学ズーム手段の変倍動作により発生する騒音を録音することなく音声が良好であり、かつ、光学ズーム手段の画角を有効に使用し、自由な画角での動画撮影が可能となる。
【図面の簡単な説明】
【００１５】
【図１】第１の実施形態に係るデジタル一眼レフカメラの縦断面概略図である。
【図２】第１の実施形態に係るデジタル一眼レフカメラの音声付き動画撮影のための基本構成を示すブロック図である。
【図３】第１の実施形態に係るデジタル一眼レフカメラの背面図である。
【図４】第１の実施形態に係るデジタル一眼レフカメラの音声付き動画撮影時の詳細な動作を示すフローチャートである。
【図５】第２の実施形態に係るデジタルカメラの上面概略図である。
【図６】第２の実施形態に係るデジタルカメラの背面概略図である。
【図７】第２の実施形態に係るデジタルカメラの音声付き動画撮影時の詳細な動作を示すフローチャートである。
【発明を実施するための形態】
【００１６】
以下、添付図面を参照して、本発明の好適な実施形態について説明する。
（第１の実施形態）
図１は、第１の実施形態に係る撮像装置であるデジタル一眼レフカメラの基本構成を説明するための縦断面概略図である。１はカメラ外装である。２はレンズ保持筐体であり、密接固定されたマウント２ａを介して撮影レンズ３を着脱可能に保持する。レンズ保持筐体２は、後述するシャッター５、ＡＦセンサ８、主ミラー４等も保持する。マウント２ａは、撮影レンズ３と各種信号を通信したり、駆動電源を供給したりするためのインターフェイス部を有する。
【００１７】
３は交換可能な撮影レンズであり、光学ズームレンズである。ここでは、撮影レンズ３は、ズームの変倍動作音が静音設計されていない動画非対応の撮影レンズである。撮影レンズ３内部には、フォーカスレンズ群や光学ズーム手段であるズームレンズ群３ａ、複数枚の絞り羽根から成る絞り装置３ｂ、ズームレンズ群３ａのズーム位置を検知するズーム位置検知手段である焦点距離エンコーダ３ｃを有する。図１では各レンズ群を便宜上１枚のレンズで図示するが、実際には多数のレンズにより複雑なレンズ群の組み合わせで構成されている。ズームレンズ群３ａは、撮影レンズ３の外装部にリング状に配設されている不図示のズームリングを手動で回転作動（ズーム操作）することにより不図示のカム機構を介して駆動される。この際、ズームリングやカム機構から摩擦音等の駆動音が発生し、撮影レンズ３に密接しているマウント２ａ、レンズ保持筐体２に伝達される。この伝達した音は、ノイズとして後述する音声記録用マイク１５が集音し、記録してしまう。
【００１８】
カメラ全体の制御を行う制御手段である不図示のマイクロコンピュータ（中央処理装置：以下、ＭＰＵと記す）は、マウント２ａを介して撮影レンズ３と通信することができる。これにより、焦点距離エンコーダ３ｃより得られる信号から、ズームレンズ群３ａのズーム位置を任意のタイミングで検知することができる。また、撮影レンズ３が単焦点レンズかズームレンズか、静音設計された動画対応レンズか否かを検出することができる。
【００１９】
４はハーフミラーで構成された主ミラーであり、カメラの動作状態に応じて回動可能となっている。主ミラー４は、被写体をファインダーで観察するときは撮影光路へ斜設され、撮影レンズ３からの光束を折り曲げて後述のファインダー光学系へ導く。また、撮影するときもしくは後述のライブビュー状態にあるときは撮影光路から退避して、撮影レンズ３からの光束を後述する撮像素子６へ導く。
【００２０】
５はシャッターであり、撮影レンズ３からの光束を撮像素子６に入射制御する。シャッター５は、静止画、動画撮影中及びライブビュー状態では開口しており、光束は撮像素子６に入射する。６は例えばＣＭＯＳセンサを用いた撮像手段である撮像素子であり、撮影レンズ３を透過した光束を画像信号に変換蓄積する。
【００２１】
７は主ミラー４とともに回動するサブミラーである。サブミラー７は、主ミラー４が撮影光路へ斜設されているときは、主ミラー４を透過した光束を折り曲げて後述するＡＦセンサ８へ導く。また、主ミラー４が撮影光路から退避しているときは、共に退避し、光束を撮像素子６へ導く。８はＡＦセンサであり、２次結像レンズや複数のＣＣＤからなるエリアセンサ等から構成されており、周知の位相差方式で焦点検出可能となっている。
【００２２】
９は撮影レンズ３の一次結像面に配置されたピント板であり、入射面にはフレネルレンズ（集光レンズ）が設けられ、射出面には被写体像（ファインダー像）が結像する。１０はファインダー光路変更用のペンタプリズムであり、ピント板９の射出面に結像した被写体像を正立正像に補正する。１１、１２は接眼レンズである。ここで、ピント板９、ペンタプリズム１０、接眼レンズ１１、１２により構成されている光学系をファインダー光学系と称する。１３はＡＥセンサであり、多分割された撮影画面内の各領域に対応したフォトダイオードから構成されており、ピント板９の射出面に結像した被写体像の輝度を測定する。
【００２３】
１４は撮影した画像や各種の撮影情報を表示する液晶モニタである。１５は音声信号取得手段である音声記録用マイクであり、カメラの音声録音時にカメラ周囲の音声を集音し、音声信号を取得する。音声記録用マイク１５の対向する位置にはカメラ外装１に開口部があり、カメラ周囲の音声を効果的に収集できるようになっている。１６は記録手段である記録装置であり、音声付き動画像信号をメディアカード等の記録媒体へ書き込む。
【００２４】
図２は、第１の実施形態に係るデジタル一眼レフカメラの音声付き動画撮影のための基本構成を示すブロック図である。撮影者により動画撮影の開始が指示されると、音声記録用マイク１５から得られた音声信号は不図示のＡ／Ｄ変換器によりデジタル変換され、音声フィルタ２０２を通してアンプ２０３に入力される。ここで、音声フィルタ２０２は音声に適した周波数特性に設定されている。また、アンプ２０３の利得は利得制御回路２０７により適切なレベルに制御される。アンプ２０３から出力される音声信号は、信号処理回路２０４により音声ファイルフォーマットに変換される。
【００２５】
また、同時に図１において主ミラー４及びサブミラー７が共に上部へ回動して撮影光路から退避し、さらにシャッター５は開口状態となり、撮影レンズ３からの光画像は撮像素子６へ導かれる。撮像素子６では光学像を画像信号に変換し、取得された画像信号はＡ／Ｄ変換器２０９によりデジタル変換される。
【００２６】
メモリコントローラ２０５では、Ａ／Ｄ変換器２０９によりデジタル変換された画像信号に音声ファイルフォーマットを関連付けて音声付き動画像信号とし、記録媒体へ書き込むための記録装置１６に送信する。
【００２７】
次に、第１の実施形態に係るデジタル一眼レフカメラの音声付き動画撮影時の動作を説明する。図３は、第１の実施形態に係るデジタル一眼レフカメラの背面図である。２１は電源スイッチ、２２はライブビューボタン、２３は動画ボタン、２４は電子ズームインボタン、２５は電子ズームアウトボタンである。動画ボタン２３は、動画スタンバイ状態では中央部が赤色に点灯し、撮影者に動画撮影がスタンバイ状態であることを知らせ、動画撮影中には中央部が赤色に点滅し、撮影者に動画撮影中であることを知らせる。
【００２８】
また、図４は、第１の実施形態に係るデジタル一眼レフカメラの音声付き動画撮影時の詳細な動作を示すフローチャートである。図４に示すフローチャートは、ＭＰＵが制御プログラムを実行することにより実現される。ステップＳ１０１で、撮影者により電源スイッチ２１が操作され、カメラの電源がＯＮになる。ステップＳ１０２で、撮影者によりライブビューボタン２２が操作されると、ステップＳ１０３に進み、ＭＰＵはカメラのモード設定状態が音声優先モードであるか否かを判定する。音声優先モードである場合、ステップＳ１０４に進む。音声優先モードでない場合、ステップＳ１１７に進み、通常の動画撮影を行う。ここで、通常の動画撮影とは、撮影レンズ３のズーム操作を許可する撮影のことである。この場合、静音設計されていない動画非対応の光学ズームレンズを使用したときは、ズーム駆動音がノイズとして音声に録音されてしまうことがある。
【００２９】
ステップＳ１０４、Ｓ１０５で、ＭＰＵはマウント２ａに装着されている撮影レンズ３が動画対応レンズか否か、また単焦点レンズか否かを判定する。動画対応レンズであったり、単焦点レンズであったりした場合、ズーム駆動音が発生することがないので、ステップＳ１１７（動画撮影中にズーム操作を許可する通常の動画撮影）に進む。
【００３０】
ステップＳ１０４、Ｓ１０５において撮影レンズ３が動画非対応の光学ズームレンズである場合、ステップＳ１０６に進み、ＭＰＵは液晶モニタ１４に例えば「動画非対応ズームレンズ／ズームレンズをワイド側に操作してください」と通知表示する。
【００３１】
ステップＳ１０７で、ＭＰＵは撮影者により撮影レンズ３のズームリングがワイド側に操作されて、ズーム位置がワイド端（広角端）になっているか否かを判定する。ズーム位置がワイド端となっている場合、音声付き動画撮影を許可することとしてステップＳ１０８に進む。上述したように、ＭＰＵはマウント２ａを介して撮影レンズ３と通信することにより、ズームレンズ群３ａのズーム位置を任意のタイミングで検知することができる。
【００３２】
ステップＳ１０８で、所定の動作を行いライブビュー状態となり、撮影レンズ３を透過した光束を撮像素子６で映像信号に変換したスルー画像を液晶モニタ１４に表示する。
【００３３】
ステップＳ１０９で、動画ボタン２３の中央部を赤色に点灯し、撮影者に動画撮影がスタンバイ状態であることを知らせる。ステップＳ１１０で、ＭＰＵは撮影者により動画ボタン２３が押下されたか否かを判定し、動画ボタン２３が押下された場合、ステップＳ１１１に進み、所定の動作により動画撮影を開始する。ステップＳ１１２で、動画ボタン２３の中央部を赤色に点滅し、撮影者に動画撮影中であることを知らせる。
【００３４】
ステップＳ１１３で、ＭＰＵは動画撮影中はズーム位置がワイド端になっているか否かを常に判定する。ズーム位置がワイド端でないことを検知すると、撮影者がズーム操作を行ったと判定し、ステップＳ１１８に進み、液晶モニタ１４に例えば「レンズのズーム操作を行わないでください／レンズをワイド側に操作してください」と警告表示する。撮影者がズーム位置をワイド端に操作し、再びステップＳ１１３でワイド端であることを検知するまで、その警告を表示し続ける。
【００３５】
なお、フローチャートには示していないが、電子ズームインボタン２４及び電子ズームアウトボタン２５を操作することにより、動画撮影中の電子ズーム操作を行うことができる。電子ズームボタン２４、２５は静音設計されており、動画撮影中に操作しても操作音が音声に録音されることはない。
【００３６】
ステップＳ１１４で、撮影者により動画ボタン２３が再度押下されたか否かを判定し、動画ボタン２３が再度押下された場合、ステップＳ１１５に進み、動画ボタン２３の中央部の赤色点滅を消灯する。その後、ステップＳ１１６で、所定の動作により動画撮影を終了する。
【００３７】
以上のように、音声優先モードでは、静音設計されていない動画非対応の光学ズームレンズを使用するような場合、動画撮影前に光学ズームレンズのズーム位置をワイド端に操作させておき、動画撮影中にはそのズーム操作を行わないようにさせることができる。これにより、ズーム駆動音が音声に録音されることのない、音声の良好な映像が得ることができる。
【００３８】
また、動画撮影中は、光学ズームレンズのズーム位置がワイド端にあるので、光学ズームレンズの画角をワイド端から有効に使用することができ、電子ズームを使用することで自由な画角での撮影映像を得ることができる。
【００３９】
本実施形態では、動画撮影中にズーム位置がワイド端でないことを検知すると、液晶モニタに警告表示しているが、ワイド端でないことを検知した場合には動画撮影を中止してもよい。また、光学ズームレンズのズーム位置がワイド端であるか否かを検知しているが、ワイド端ではなくあるズーム位置であることを検知してもよい。この場合は、光学ズームレンズの画角をワイド端から有効に使用することができなくなるが、光学ズームを使用することで電子ズームを使用するより画質の劣化の少ない映像を得ることができる。
【００４０】
（第２の実施形態）
図５、図６は、第２の実施形態に係るデジタルカメラの基本構成を説明するための上面概略図及び背面概略図である。図５では、内部構造を説明するため、一部断面図となっている。４０はカメラ外装である。４１はカメラ本体の電源をＯＮ又はＯＦＦするための電源スイッチである。
【００４１】
４２は撮影レンズであり、光学ズームレンズである。ここでは、撮影レンズ４２は、ズームの変倍動作音が静音設計されていない動画非対応の撮影レンズである。撮影レンズ４２内部には、ズームレンズ群４２ａ、絞り装置４２ｂ、焦点距離エンコーダ４２ｃ、ズーム駆動機構４２ｄを有する。ズームレンズ群４２ａはフォーカスレンズ群や光学ズーム手段である。絞り装置４２ｂは複数枚の絞り羽根から成る。焦点距離エンコーダ４２ｃはズームレンズ群４２ａのズーム位置を検知するズーム位置検知手段である。ズーム駆動機構４２ｄはズームレンズ群４２ａを駆動する駆動手段である。図５では各レンズ群を便宜上１枚のレンズで図示したが、実際には多数のレンズにより複雑なレンズ群の組み合わせで構成されている。ズームレンズ駆動機構４２ｄによりズームレンズ群４２ａを駆動する際、カムやギア等のメカ機構から摩擦音等の駆動音が発生し、ノイズとして後述する音声記録用マイク４４が集音し、記録してしまう。
【００４２】
カメラ全体の制御を行う制御手段である不図示のマイクロコンピュータ（中央処理装置：以下、ＭＰＵと記す）は、焦点距離エンコーダ４２ｃより得られる信号から、ズームレンズ群４２ａのズーム位置を任意のタイミングで検知することができる。
【００４３】
４３はカメラ外装４０に回転可動に配設されたズームレバーであり、時計回り及び反時計回りに回転操作することにより、光学ズーム又は静音動画撮影中の電子ズーム操作を行うことができる。４７はシャッターボタンである。
【００４４】
４４は音声信号取得手段である音声記録用マイクであり、カメラの音声録音時にカメラ周囲の音声を集音し、音声信号を取得する。音声記録用マイク４４の対向する位置にはカメラ外装４０に開口部があり、カメラ周囲の音声を効果的に収集できるようになっている。
【００４５】
４５は例えばＣＭＯＳセンサを用いた撮像手段である撮像素子であり、撮影レンズ４２を透過した光束を画像信号に変換蓄積する。
【００４６】
４６は記録手段である記録装置であり、音声付き動画像信号をメディアカード等の記録媒体へ書き込む。第１の実施形態で図２を参照して説明したのと同様に、撮像素子４５で取得された動画像信号がＡ／Ｄ変換器によりデジタル変換され、メモリコントローラにおいて音声信号と関連付けられた音声付き動画像信号をメディアカードへ書き込む。
【００４７】
５１は撮影モードスイッチであり、カメラが撮影状態にあるときの撮影モードを動画撮影モードと静止画撮影モードに切替えることができる。５２は撮影した画像や各種の撮影情報を表示する液晶モニタである。５３は動画の開始及び終了を指示するための動画ボタンである。動画ボタン５３は、動画スタンバイ状態では中央部が赤色に点灯し、撮影者に動画撮影がスタンバイ状態であることを知らせ、動画撮影中には中央部が赤色に点滅し、撮影者に動画撮影中であることを知らせる。
【００４８】
次に、第２の実施形態に係るデジタルカメラの音声付き動画撮影時の動作を説明する。図７は、第２の実施形態に係るデジタルカメラの音声付き動画撮影時の詳細な動作を示すフローチャートである。図７に示すフローチャートは、ＭＰＵが制御プログラムを実行することにより実現される。ステップＳ２０１で、撮影者により電源スイッチ４１が操作され、カメラの電源がＯＮになると、撮影レンズ４２を所定量繰り出す。撮影レンズ４２は撮影範囲の変倍が可能な光学ズーム機構を持った光学ズームレンズである。
【００４９】
ステップＳ２０２で、ＭＰＵは撮影モードスイッチ５１が動画モードに設定されているか否かを判定する。動画モードに設定されている場合、ステップＳ２０３に進み、所定の動作を行いライブビューをスタートし、スルー画像を液晶モニタ５２に表示する。動画モードに設定されていない場合、静止画モードであるので、ステップＳ２１４に進み、通常の静止画撮影を行う。
【００５０】
ステップＳ２０４で、ＭＰＵはカメラのモード設定状態が音声優先モードであるか否かを判定する。音声優先モードである場合、ステップＳ２０５に進む。音声優先モードでない場合、ステップＳ２１５に進み、通常の動画撮影を行う。ここで、通常の動画撮影とは、撮影レンズ４２のズーム操作を許可する撮影のことである。この場合、ズーム駆動音がノイズとして音声に録音されてしまうことがある。
【００５１】
ステップＳ２０５、Ｓ２０６で、ＭＰＵはズーム駆動機構４２ｄによりズームレンズ群４２ａを駆動し、ズーム位置がワイド端になるまで駆動を行う。ズーム位置がワイド端である場合、音声付き動画撮影を許可することとしてステップＳ２０７に進む。
【００５２】
ステップＳ２０７で、動画ボタン５３の中央部を赤色に点灯し、撮影者に動画撮影がスタンバイ状態であることを知らせる。ステップＳ２０８で、ＭＰＵは撮影者により動画ボタン５３が押下されたか否かを判定し、動画ボタン５３が押下された場合、ステップＳ２０９に進み、所定の動作により動画撮影を開始する。ステップＳ２１０で、動画ボタン５３の中央部を赤色に点滅し、撮影者に動画撮影中であることを知らせる。動画撮影中は、音声記録用マイク４４によりカメラ周囲の音声が集音され、音声信号に変換される。また、撮像素子４５で取得された動画像信号がＡ／Ｄ変換器によりデジタル変換され、メモリコントローラにおいて同時に録音された音声信号と関連付けら音声付き動画像信号に変換され、記録装置４６によりメディアカードへ書き込まれる。
【００５３】
なお、フローチャートには示していないが、ズームレバー４３を時計回り及び反時計回りに回転操作することにより、動画撮影中の電子ズーム操作を行うことができる。光学ズーム操作は行わない。ズームレバー４３は静音設計されており、動画撮影中に操作しても操作音が音声に録音されることはない。
【００５４】
ステップＳ２１１で、撮影者により動画ボタン５３が再度押下されたか否かを判定し、動画ボタン５３が再度押下された場合、ステップＳ２１２に進み、動画ボタン５３の中央部の赤色点滅を消灯する。その後、ステップＳ２１３で、所定の動作により動画撮影を終了する。
【００５５】
以上のように、音声優先モードでは、動画撮影前に光学ズームレンズのズーム位置をワイド端に駆動させておき、動画撮影中にはそのズーム操作を行わないことで、ズーム駆動音が音声に録音されることのない、音声の良好な映像が得ることができる。
【００５６】
また、動画撮影中は、光学ズームレンズのズーム位置がワイド端にあるので、光学ズームレンズの画角をワイド端から有効に使用することができ、電子ズームを使用することで自由な画角での撮影映像を得ることができる。
【００５７】
本実施形態では、光学ズームレンズのズーム位置がワイド端であるか否かを検知しているが、ワイド端ではなくあるズーム位置であることを検知してもよい。この場合は、光学ズームレンズの画角をワイド端から有効に使用することができなくなるが、光学ズームを使用することで電子ズームを使用するより画質の劣化の少ない映像を得ることができる。
【００５８】
なお、実施形態の構成が持つ機能が達成できる構成であれば、発明の主旨を逸脱しない範囲において種々の変形や応用が可能であることは勿論である。
【００５９】
（その他の実施形態）
また、本発明は、以下の処理を実行することによっても実現される。すなわち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【符号の説明】
【００６０】
１、４０：カメラ外装、２：レンズ保持筐体、３、４２：撮影レンズ、３ａ、４２ａ：ズームレンズ群、３ｃ、４２ｃ：焦点距離エンコーダ、６、４５：撮像素子、１４、５２：液晶モニタ、１５、４４：音声記録用マイク、１６、４６：記録装置
【図１】
2011120172.tif 000003
【図２】
2011120172.tif 000004
【図３】
2011120172.tif 000005
【図４】
2011120172.tif 000006
【図５】
2011120172.tif 000007
【図６】
2011120172.tif 000008
【図７】
2011120172.tif 000009